(57)【要約】【課題】種々の厚さのカッター刃が使用され得るカッターナイフ用ホルダー及びカッターナイフの提供。【解決手段】カッターナイフ用ホルダー１は、一端の開口３６から先端部が出入り可能なように細長い薄板状のカッター刃３を収容する細長いカッター刃収容室３５を備えた細長いホルダー本体５と、回転軸を介してホルダー本体５に回転可能に指示されたフリクションローラー４０であって、周面４８ａがカッター刃３の一方の主面３ｃに押付けられた状態で回転され、該回転の方向Ｃ１，Ｃ２に応じてカッター刃３のＡ１方向の繰出し及びＡ２方向の収納を行うものとを有する。フリクションローラー４０の回転軸が、カッター刃収容室３５の長手方向Ａに移動可能に且つカッター刃収容室３５の一端開口３６に近づく程カッター刃３の主面３ｃに近接するように、ホルダー本体５によって支持されている。【選択図】図２
2016083065.tif 000002
【特許請求の範囲】
【請求項１】
細長いホルダー本体であって、該ホルダー本体の一端の開口から先端部が出入り可能なように細長い薄板状のカッター刃を収容する細長いカッター刃収容室を備えたものと、
回転軸を介してホルダー本体に回転可能に指示されたフリクションローラーであって、周面がカッター刃の一方の主面に押付けられた状態で回転され、該回転の方向に応じてカッター刃の繰出し及び収納を行うものと
を有するカッターナイフ用ホルダーであって、
フリクションローラーの回転軸が、カッター刃収容室の長手方向に移動可能に且つカッター刃収容室の前記一端開口に近づく程カッター刃の前記一方の主面に近接するように、ホルダー本体によって支持されているカッターナイフ用ホルダー。
【請求項２】
ホルダー本体が、カッター刃収容室の前記一端開口に近づく程カッター刃の前記一方の主面に近接するように傾斜した細長い傾斜面を、フリクションローラーの回転軸の支持面として備える請求項１に記載のカッターナイフ用ホルダー。
【請求項３】
回転軸に歯車が設けられ、前記斜面に該歯車と噛み合うラック歯が形成されている請求項２に記載のカッターナイフ用ホルダー。
【請求項４】
前記の細長い傾斜面をカッター刃の主面と平行な面に投影して得られる細長い面の長手方向が、カッター刃収容室の長手方向に対して傾いている請求項２又は３に記載のカッターナイフ用ホルダー。
【請求項５】
フリクションローラーが円錐台の形態である請求項２又は３に記載のカッターナイフ用ホルダー。
【請求項６】
フリクションローラーの回転軸をホルダー本体のカッター刃収容室の前記一端開口に近接する方向に偏倚させる弾性偏倚手段を有する請求項１から５までのいずれか一つの項に記載のカッターナイフ用ホルダー。
【請求項７】
請求項１から６までのいずれか一つの項に記載のカッターナイフ用ホルダーと、
該ホルダーのカッター刃収容室に収容されたカッター刃と
を有するカッターナイフ。
【発明の詳細な説明】
【技術分野】
【０００１】
本発明はカッターナイフ用ホルダー及び該ホルダーを備えたカッターナイフに係る。
【背景技術】
【０００２】
細長い薄板状のカッター刃をカッターナイフ用ホルダーに収容してなるカッターナイフは知られている（例えば、特許文献１や特許文献２等多数）。
【０００３】
この種の従来のカッターナイフでは、ホルダー本体のスライド溝に沿って移動可能なスライダーにカッター刃を取付け、スライダを移動させることにより、カッター刃をホルダー本体の先端から出没するように移動させる。交換可能なカッター刃はスライダーに取外し可能に取付けられる。
【０００４】
この種の従来のカッターナイフでは、スライド溝の先端部の幅および厚さは実際上、当該カッターナイフで用いられるべきカッター刃の幅および厚さと概ね同程度で当該幅および厚さよりも僅かに大きい。従って、この種の従来のカッターナイフでは、カッター刃がスライダーに取付けられた状態では、カッター刃とスライダーとの組立体（以下ではカッター刃スライダー組立体ともいう）は、全体としてホルダーのスライド溝の長手方向に移動可能であるけれども、カッター刃がスライダの前記先端部から突出する状態では、カッター刃スライダー組立体は、スライド溝の幅方向にも厚さ方向にもガタなくスライド溝内に保持される。
【０００５】
換言すれば、ホルダー本体のスライド溝の先端部の幅や高さはカッター刃の幅や厚さに合わせて形成されている。また、スライダーは、ホルダー本体のスライド溝の先端部以外の部分の幅や高さに合わせて形成されている。従って、従来、幅や厚さが様々なカッター刃があるけれども、各カッター刃が利用され得るカッターナイフのホルダー（ホルダー本体及びスライダーを含む）は実際上決まっていて、各ホルダーは特定の幅や厚さのカッター刃に専用化されているに等しい。これは、カッター刃が所定長さ毎に折りとり可能であるか否かにかかわらない。
【０００６】
なお、スライダーを用いることなく、フリクションローラーをカッター刃の一方の主面に押付けて該フリクションローラーの回転によってカッター刃をホルダーに対して出没させること自体は、提案されている（特許文献３）。
【０００７】
しかしながら、この提案のカッターナイフ用ホルダーにおいても、少なくとも、異なる厚さのカッター刃は使用できず、また、許容されるカッター刃の幅のバラツキも実際上きわめて制限されるものと思われる。
【先行技術文献】
【特許文献】
【０００８】
【特許文献１】実開平２−１２６５６４号公報
【特許文献２】特開２００９−２４７８５４号公報
【特許文献３】特開２０１０−２２６８１号公報
【発明の概要】
【発明が解決しようとする課題】
【０００９】
本発明は、前記した点に鑑みなされたものであって、その目的とするところは、カッター刃の厚さが種々に異なっていても該カッター刃が使用され得るカッターナイフ用ホルダー及び該ホルダーを備えたカッターナイフを提供することにある。
【課題を解決するための手段】
【００１０】
前記目的を達成すべく、本発明のカッターナイフ用ホルダーは、細長いホルダー本体であって該ホルダー本体の一端の開口から先端部が出入り可能なように細長い薄板状のカッター刃を収容する細長いカッター刃収容室を備えたものと、回転軸を介してホルダー本体に回転可能に指示されたフリクションローラーであって周面がカッター刃の一方の主面に押付けられた状態で回転され、該回転の方向に応じてカッター刃の繰出し及び収納を行うものとを有し、フリクションローラーの回転軸が、カッター刃収容室の長手方向に移動可能に且つカッター刃収容室の前記一端開口に近づく程カッター刃の前記一方の主面に近接するように、ホルダー本体によって支持されている。
【００１１】
本発明のカッターナイフ用ホルダーでは、「細長いホルダー本体であって、該ホルダー本体の一端の開口から先端部が出入り可能なように細長い薄板状のカッター刃を収容する細長いカッター刃収容室を備えたものと、回転軸を介してホルダー本体に回転可能に指示されたフリクションローラーであって、周面がカッター刃の一方の主面に押付けられた状態で回転され、該回転の方向に応じてカッター刃の繰出し及び収納を行うものと」を備えているので、フリクションローラーによってカッター刃の繰出し及び収納を行い得るので、従来市場に出ているカッターナイフ用ホルダーと異なりスライダーを要しないから、カッター刃の幅がホルダー本体のカッター刃収容室の幅よりも小さければ使用可能になる故、カッターナイフ用ホルダーに適用可能なカッター刃の幅についての制約が低減され得る。
【００１２】
特に、本発明のカッターナイフ用ホルダーでは、「フリクションローラーの回転軸が、カッター刃収容室の長手方向に移動可能に且つカッター刃収容室の前記一端開口に近づく程カッター刃の前記一方の主面に近接するように、ホルダー本体によって支持されている」ので、フリクションローラーの回転軸をカッター刃の厚さに応じてカッター刃の前記一方の主面に近接させることにより、カッター刃の厚さに係らずフリクションローラーの周面でカッター刃の前記一方の主面を押圧し得るから、カッターナイフ用ホルダーに適用可能なカッター刃の厚さについての制約を最低限に抑え得る。
【００１３】
本発明のカッターナイフ用ホルダーでは、典型的には、ホルダー本体が、カッター刃収容室の前記一端開口に近づく程カッター刃の前記一方の主面に近接するように傾斜した細長い傾斜面を、フリクションローラーの回転軸の支持面として備える。
【００１４】
その場合、フリクションローラーの回転軸が傾斜面に沿って移動するようにフリクションローラーを移動させるだけで、フリクションローラーによるカッター刃の繰出や収納等を行い得る。
【００１５】
本発明のカッターナイフ用ホルダーでは、典型的には、回転軸に歯車が設けられ、前記斜面に該歯車と噛み合うラック歯が形成されている。
【００１６】
その場合、フリクションローラーを先端側に変位させてカッター刃をフリクションローラーによって押圧して、該フリクションローラーとカッター刃との摩擦係合によりカッター刃を固定した状態において、カッター刃による切断に伴ってカッター刃に対して該カッター刃を先端側に引出す（繰出す）方向の力が働いても、これに伴う方向のフリクションローラーの回転が回転軸の歯車（ピニオン）と噛合したラック歯によって規制される（フリクションローラーの回転軸が滑って空転する虞れを最低限に抑え得る）ので、カッター刃の引出しを確実に規制し得る（カッター刃を引出し力に抗し得るように固定し得る）。
【００１７】
本発明のカッターナイフ用ホルダーでは、典型的には、前記の細長い傾斜面をカッター刃の主面と平行な面に投影して得られる細長い面の長手方向が、カッター刃収容室の長手方向に対して傾いている。その代わりに、フリクションローラーが円錐台の形態であってもよい。
【００１８】
これらの場合、カッター刃の前記一方の主面に押しつけられた状態でカッター刃の繰出方向にフリクションローラーを回転させることによって、カッター刃をカッター刃収容室の幅方向の一方の側に押しつけるように変位させ得るので、カッター刃収容室の幅がカッター刃よりも大きくても、カッター刃の一側（背部）をカッター刃収容室の側壁で支持することにより、切断の際にカッター刃の背部を支えて効果的な切断を可能にする。
【００１９】
本発明のカッターナイフ用ホルダーでは、フリクションローラーの回転軸をホルダー本体のカッター刃収容室の前記一端開口に近接する方向に偏倚させる弾性偏倚手段を有していてもよい。
【００２０】
その場合、フリクションローラーの周面とカッター刃収容室の対向面との間隙が小さくなるので、カッター刃収容室内に収容されたカッター刃がカッター刃収容室の一端開口（ホルダー本体の一端開口）から抜け落ちるという不測の事態が生じる虞れを最低限に抑え得る。なお、カッターナイフの操作の手順として、手動により、フリクションローラーの回転軸をホルダー本体のカッター刃収容室の前記一端開口に近接する方向に偏倚させるようにしておく場合には、このような弾性偏倚手段を設けなくても、カッター刃収容室内に収容されたカッター刃がカッター刃収容室の一端開口（ホルダー本体の一端開口）から抜け落ちを避け得る。
【００２１】
本発明のカッターナイフは、前記目的を達成すべく、上述のようなカッターナイフ用ホルダーと、該ホルダーのカッター刃収容室に収容されたカッター刃とを有する。
【図面の簡単な説明】
【００２２】
【図１】本発明の好ましい一実施例のカッターナイフ用ホルダーを備えた本発明の好ましい一実施例のカッターナイフにおいてフリクションローラーによりカッター刃を繰出して固定した状態を示したもので、（ａ）は主として表側を示した斜視説明図、（ｂ）は主として裏側を示した斜視説明図。
【図２】図1のカッターナイフ用ホルダー及び図1のカッターナイフを示したもので、（ａ）は（ｂ）の刃先側から見た端面説明図、（ｂ）は平面説明図、（ｃ）は（ａ）のうち下側の側面説明図、（ｄ）は裏面説明図。
【図３】図２の（ｂ）のＩＩＩ−ＩＩＩ線断面説明図。
【図４】図1のカッターナイフの断面を示したもので、（ａ）は図２の（ｂ）のＩＶＡ−ＩＶＡ線断面説明図、（ｂ）は図２の（ｂ）のＩＶＢ−ＩＶＢ線断面説明図、（ｃ）は図２の（ｂ）のＩＶＣ−ＩＶＣ線断面説明図、
【図５】図1のカッターナイフにおいて、フリクションローラーによりカッター刃を大きく繰出した状態（カッター刃を固定する前の状態）を示した斜視説明図。
【図６】図５の状態にあるカッターナイフを示したもので、（ａ）は図２の（ａ）と同様な端面説明図、（ｂ）は図２の（ｂ）と同様な平面説明図、（ｃ）はホルダー本体の基端側からみた端面説明図、（ｄ）は図２の（ｃ）と同様な側面説明図、（ｅ）は図２の（ｄ）と同様な裏面説明図。
【図７】図1のカッターナイフの操作の仕方を示したもので、（ａ）はカッター刃の繰出操作を示した斜視説明図、（ｂ）は繰出したカッター刃の固定操作を主として示した斜視説明図、（ｃ）はカッター刃の収納を主として示した斜視説明図。
【図８】本発明の変形例のカッターナイフ用ホルダーを備えた本発明の変形例のカッターナイフの一部を示したもので、（ａ）は（ｂ）のＶＩＩＩＡ−ＶＩＩＩＡ線断面説明図、（ｂ）は（ａ）のＶＩＩＩＢ−ＶＩＩＩＢ線断面説明図、（ｃ）は（ａ）の弾性偏倚機構の斜視説明図。
【図９】本発明の別の好ましい一実施例のカッターナイフ用ホルダーを備えた本発明の別の好ましい一実施例のカッターナイフを示した平面説明図。
【発明を実施するための形態】
【００２３】
本発明の好ましい実施の形態のいくつかを添付図面に示した好ましい実施例に基づいて説明する。
【実施例１】
【００２４】
図１から図６には、本発明の好ましい一実施例のカッターナイフホルダー１を備えた本発明の好ましい一実施例のカッターナイフ２が示されている。
【００２５】
カッターナイフ２は、カッターナイフホルダー１とカッター刃３とからなり、カッターナイフホルダー1は、ホルダー本体５と、フリクションローラー４０とを備える。
【００２６】
カッター刃３は、刃部３ａ、背部３ｂ、表側主面部３ｃ、背面側主面部３ｄ、刃先部３ｅ、基端部３ｆを有する。なお、カッター刃３の幅ＷＣは市販のカッター刃の最小幅ＷＣｍｉｎ（９ｍｍ）と最大幅ＷＣｍａｘ（２０ｍｍ）との間であればその大きさは問わず、カッター刃３の厚さＴＣは市販のカッター刃の最小厚さＴＣｍｉｎ（０．４５ｍｍ）と最大厚さＴＣｍａｘ（１．２ｍｍ）との間であればその大きさは問わず、カッター刃３の長さＬＣは市販のカッター刃の最小長さＬＣｍｉｎ（７２ｍｍ）と最大長さＬＣｍａｘ（１０５ｍｍ）との間であればその大きさは問わず、汎用的に対応可能である。カッター刃３は、所定長さ毎に刃を折る（折る刃）タイプのもでも、そうでないものでもよい。なお、カッター刃は、図示したような直線状の刃部３ａを備えたカッター刃３の代わりに、アクリル板や塩化ビニール板の如き硬質プラスチック材の切断に用いられるかぎ型の刃部を備えたいわゆるＰカッター用の刃（Ｐ刃）であっても、鋸歯状刃部を備えたノコ刃であってもよく、所望ならば、他の種類の刃部を備えた刃であってもよい。
【００２７】
ホルダー本体５は、全体としてＡ方向に延びた上下二つの細長い板状部２０，１０からなる。
【００２８】
裏側板状部１０は、概ね細長い長方形状の裏側板状部本体１１を備える。裏側板状部本体１１は、外表面となる裏側主面１１ａと、内側主面１１ｂと、外側面となる両側面１１ｃ，１１ｄと、外端面となる端面１１ｅ，１１ｆとを有する。
【００２９】
裏側板状部本体１１の平面状の内側主面１１ｂには、長手方向Ａのうち前方Ａ１側の端面１１ｅの近傍で且つＡ方向に直行する幅方向Ｂの腹側Ｂ１及び背側Ｂ２の両端近傍に、長手方向Ａに対して角度αだけ傾いた方向Ｅに延在した一対の突出壁部１２，１３が形成されている。各突出壁部１２，１３の頂部の中央部１２ａ，１３ａには、遊嵌軸受部形成用凹部１４，１５が形成されている。この角度αは例えば５度程度である。但し、より大きくても小さくてもよい。凹部１４，１５の底面１４ａ，１５ａは平坦で、後端側面１４ｂ，１５ｂは湾曲面部１４ｃ，１５ｃを介して立上り、前端側面１４ｄ，１５ｄは小径円弧状面Ｄの形態をなす。なお、突出壁部１２の凹部１４は突出壁部１３の凹部１５と鏡映対称の形状であることからその詳細は図面には示されていない。
【００３０】
表側板状部２０も、概ね細長い長方形状の表側板状部本体２１を備える。表側板状部本体２１は、外表面となる表側主面２１ａと、内側主面２１ｂと、外側面となる両側面２１ｃ，２１ｄと、外端面となる端面２１ｅ，２１ｆとを有する。
【００３１】
表側板状部本体２１の内側主面２１ｂの平面形状（該主面２１ｂに垂直な方向にみた平面形状）は、裏側板状部本体１１の内側主面１１ｂの平面形状（該主面１１ｂに垂直な方向にみた平面形状）と実際上一致している。
【００３２】
表側板状部本体２１の表側主面２１ａは概ね平面状であって、該平面状の表側主面２１ａには、長手方向Ａの前方Ａ１側の端面２１ｅの近傍で且つ幅方向Ｂにみて腹側Ｂ１及び背側Ｂ２の両端近傍に、長手方向Ａに対して角度αだけ傾いた方向Ｅに延在した一対の突出壁部２２，２３が形成されている。表側板状部本体２１の突出壁部２２，２３は裏側板状部本体１１の突出壁部１２，１３よりも長い範囲にわたってＥ方向に延在している。Ｅ方向に直交する方向Ｆについて見た表側板状部本体２１の突出壁部２２，２３の内側面２２ａ，２３ａの位置は裏側板状部本体１１の突出壁部１２，１３のＦ方向内側面１２ｂ，１３ｂの位置と一致している。突出壁部２２，２３は、この例では、Ｆ方向ないし幅方向Ｂに見ると円弧状の形態をなす。突出壁部２２，２３のうち端面２１ｅから遠い方の端部２２ｂ，２３ｂを連続的に結ぶようにＦ方向に延在した突出壁部２４が形成されている。
【００３３】
表側板状部本体２１のうち突出壁部２２，２３，２４に囲まれた部位Ｄには、Ｅ方向及びＦ方向に延びた辺をもつ長方形Ｇの形態の穴（貫通孔）ないし開口２５が形成されている。開口２５は、四つの側面２５ａ，２５ｂ，２５ｃ，２５ｄにより規定されている。開口２５の側面２５ａは突出壁部２２の内側面２２ａに一致し、側面２５ｂは突出壁部２３の内側面２３ａに一致し、側面２５ｃは突出壁部２４の前側面２４ａに一致している。
【００３４】
また、突出壁部２２，２３の内側面２２ａ，２３ａの長手方向Ｅの中央部には、概ね長方形状の嵌合せ凹部２６，２７が形成されている。表側板状部本体２１のこの凹部２６，２７は、裏側板状部本体１１の概ね長方形状の突出壁部１２，１３と丁度嵌り合うように、該突出壁部１２，１３と相補的形状をなす。凹部２６，２７のＦ方向の深さは突出壁部１２，１３のＦ方向の厚さと一致し、Ｆ方向に直交する面での凹部２６，２７の拡がり形状は、該面での突出壁部１２，１３の拡がり形状（但し、凹部１４，１５の部分を除く）に一致する。
【００３５】
突出壁部２２，２３の内側面２２ａ，２３ａの長手方向Ｅの中央部には、更に、長方形凹部２６，２７の上部につながった遊嵌軸受部形成用凹部２８，２９が形成されている。
【００３６】
表側板状部本体２１の嵌合せ凹部２６，２７に裏側板状部本体１１の突出壁部１２，１３が嵌り合った状態において、表側板状部本体２１の突出壁部２２，２３の遊嵌軸受部形成用凹部２８，２９の前側端部（端面）２８ａ，２９ａ及び後側端部（端面）２８ｂ，２９ｂの端縁は、裏側板状部本体１１の突出壁部１２，１３の遊嵌軸受部形成用凹部１４，１５の前側端面１４ｄ，１５ｄ及び後側端面１４ｂ，１５ｂの端縁と丁度一致し、全体として、遊嵌軸受部として働く歪んだ長円形Ｈの遊嵌軸受穴３１，３２をなす。遊嵌軸受部形成用凹部２８，２９の底面２８ｃ，２９ｃは前方ほど裏側板状部本体１１に近接するように傾斜した傾斜面２８ｄ，２９ｄになっている。傾斜角度は、例えば、１２度程度である。但し、より大きくてもより小さくてもよい。従って、歪んだ長円形Ｈの遊嵌軸受穴３１，３２は前方Ｅ１ないしＡ１ほどＫ方向（Ｅ，Ｆ方向の両方向に直交する方向）の高さ（幅）Ｊが漸減するように歪んだ長円形Ｈになっている。ここで、Ｋ方向は、表側及び裏側板状部本体２１，１１の主面２１ａ，２１ｂ，１１ａ，１１ｂに垂直な方向である。なお、傾斜面２８ｄ，２９ｄのうち先端側の大半の部分には、ラック歯２８ｅ，２９ｅが形成されている。遊嵌軸受穴３１，３２は、鏡映対称な形状を有するので、図面では、遊嵌軸受穴３２の詳細は示されているけれども、遊嵌軸受穴３２の詳細は示されていない。
【００３７】
表側板状部本体２１の内側主面２１ｂには、一端面２１ｅから他端面２１ｆの近傍まで長手方向Ａに真直ぐ伸びた幅ＷＲ、長さＬＲで深さＴＲのカッター刃収容凹部３３が形成されている。カッター刃収容凹部３３は、底面３３ａ，両側面３３ｂ，３３ｃ及び後側側面３３ｄにより規定される。
【００３８】
表側板状部本体２１の凹部２６，２７に裏側板状部本体１１の概ね長方形状の突出壁部１２，１３が嵌り合った状態では、表側板状部本体２１の内側主面２１ｂと裏側板状部本体１１の内側主面１１ｂとが丁度当接し、カッター刃収容凹部３３が裏側板状部本体１１の内側主面１１ｂによって閉じられて、全体として、長さＬＲ，幅ＷＲ，厚さ（高さ）ＴＲの空隙のカッター刃収容室３５となる。従って、カッター刃収容室３５は、カッター刃収容凹部３３の底面３３ａと裏側板状部本体１１の内側主面１１ｂのうちカッター刃収容凹部３３の底面３３ａに対面する部分１１ｈとにはさまれた領域Ｍであって、カッター刃収容凹部３３の側面３３ｂ，３３ｃ，３３ｄが側面となる領域Ｍからなり、表側板状部本体２１の端面２１ｅ及び裏側板状部本体１１の端面１１ｅのところにカッター刃出入開口３６を介して開いている。ここで、幅ＷＲは市販のカッター刃３の最大幅ＷＣｍａｘより大きく、高さ（厚さ）ＴＲは市販のカッター刃３の最大幅ＴＣｍａｘより大きく、長さＬＲは市販のカッター刃３の最大長さＬＣｍａｘより大きい。所望ならば、カッター刃収容室３５は、幅か厚さか長さのいずれか少なくとも一つの点で従来のものよりも大きいカッター刃が収容可能な大きさになっていてもよい。
【００３９】
カッター刃３は、カッター刃出入開口３６を介してこのカッター刃収容室３５内にＡ２方向に（より厳密にはＥ２方向に）収容可能であり、カッター刃出入開口３６を介してカッター刃収容室３５からＡ１方向に（より厳密にはＥ１方向に）取出ないし繰出可能である。
【００４０】
長方形穴２５及び遊嵌軸受穴３１，３２は全体としてフリクションローラー装着構造部３７を形成しており、該フリクションローラー装着構造部３７に、フリクションローラー４０が装着されている。
【００４１】
中心軸線Ｃの周りでＣ１，Ｃ２方向に回転可能なフリクションローラー４０は、大径のローラー芯体部４１及び小径の両端軸部４２，４３からなる硬質プラスチック製のローラー基体部４５と、ゴムの如き弾力性のある材料からなる外周ローラー部４８とからなる。外周ローラ部４８としては、例えば、油に濡れても摩擦係合し易いシリカ入りゴムを用いてもよい。ローラー本体部４９は、ローラー芯体部４１と該ローラー芯体部４１に嵌着された外周ローラー部４８とからなる。
【００４２】
ローラー芯体部４１は比較的大径の円柱状で、軸部４２，４３は該ローラー芯体部４１よりも相当小径の円柱状で該ローラー芯体部４１の対応端部から一体的に延びている。軸部４２，４３は、ラック歯２８ｅ，２９ｅと噛合可能な歯が形成された小歯車（ピニオン）４６，４７になっている。なお、軸部４２，４３は、該軸部４２，４３が遊嵌軸受穴３１，３２内の前端側Ｅ１に近づくと、（カッター刃３の厚さＴＣに応じた多少異なる位置で）ピニオン４６，４７がラック歯２８ｅ，２９ｅと噛合されるような大きさ（径）である。
【００４３】
ローラー芯体部４１及び外周ローラー部４８の長さは、長方形穴２５の幅ないしＦ方向の長さよりも多少短い長さで、長方形穴２５内に嵌っている。外周ローラー部４８は、ローラー芯体部４１の外周に嵌着されていて、外周面４８ａのうち表側部分４８ｂは長方形穴２５から多少突出し、奥側ないし内側部分４８ｃは、該長方形穴２５に位置するカッター刃３の表側主面部３ｃに接触可能である。
【００４４】
より詳しくは、軸部４２，４３が遊嵌軸受穴３１，３２の後端３１ａ，３２ａに位置するときローラー本体部４９の外周ローラー部４８が長方形穴２５の後側面２５ｃの近傍に位置し、軸部４２，４３が遊嵌軸受穴３１，３２の前端３１ｂ，３２ｂに位置するときローラー本体部４９の外周ローラー部４８が長方形穴２５の前側面２５ｄの近傍に位置するように、フリクションローラー４０はフリクションローラー装着構造部３７内で、Ｅ１，Ｅ２方向に移動可能であり、且つ遊嵌軸受穴３１，３２の傾斜面２８ｄ，２９ｄの傾斜に応じて、Ｋ１，Ｋ２方向に変位可能である。
【００４５】
ローラー本体部４９の外周ローラー部４８の奥側表面部分４８ｃでカッター刃３の表側主面部３ｃに密接して摩擦係合した状態で、フリクションローラー４０がＣ１方向に回転されると、外周ローラー部４８の奥側表面部分４８ｃによってカッター刃３がＡ１方向に繰出され、フリクションローラー４０がＣ２方向に回転されると、外周ローラー部４８の奥側表面部分４８ｃによってカッター刃３がＡ２方向に引込められる。
【００４６】
ここで、フリクションローラー４０の中心軸線Ｃは、Ｆ方向に延びていて、その繰出方向Ｅ１はカッター刃３の長手方向前方向Ａ１に対して角度αだけカッター刃３の背３ｂの側に傾いているので、フリクションローラー４０によるカッター刃３のＡ１方向の繰出しに伴いカッター刃３の先端側部分は背方向Ｂ２に押される。
【００４７】
また、軸部４２，４３が遊嵌される遊嵌軸受穴３１，３２には傾斜面２８ｄ，２９ｄが形成されているので、軸部４２，４３がＥ１方向に変位されると、フリクションローラー４０のローラー本体部４９の外表面４８ａの奥側表面部分４８ｃが実際上裏側板状部１０の内側主面１１ｂに押しつけられるか極めて近接せしめられるので、カッター刃３のＥ１，Ｅ２方向（特にＥ１方向）の変位が規制されたり禁止される。一方、軸部４２，４３がＥ２方向に変位されると、フリクションローラー４０のローラー本体部４９の外表面４８ａの奥側表面部分４８ｃが実際上裏側板状部１０の内側主面１１ｂやカッター刃３の表側主面部分３ｃから離間されるので、カッターナイフ２を例えば先端側が上で基端側が下になるように傾けるだけでカッター刃３が繰出し状態から奥にＡ２方向に自由に移動収納され得る。
【００４８】
なお、図１〜図６に示したカッターナイフホルダー１の場合、ホルダー本体５の表側板状部２０と裏側板状部１０との間の所定位置にフリクションローラー４０を配置した状態で表側板状部２０と裏側板状部１０とを組合わせ、接合や接着やボルト・ナットの如き締付部材のうちの少なくともいずれかにより表側板状部２０と裏側板状部１０とを固定することによって、組立てる。
【００４９】
次に、以上の如く構成された本発明の好ましい一実施例のカッターナイフホルダー１を備えたカッターナイフ２の操作について、図１〜図６に加えて主として図７の（ａ）〜（ｃ）に基づいて、説明する。
【００５０】
以下では、フリクションローラー４０の軸部４２，４３が遊嵌軸受穴３２，３３の高さＪの高い基端部３２ａ，３３ａに当接するように最大限にＥ２方向に偏倚した位置をＰ２と称する。更に、フリクションローラー４０が基端位置Ｐ２にある場合であって、裏側板状部１０の本体１１の内側主面１１ｂに直接接触する（又は接触し得る）状態にあるときの位置を自由基端位置Ｐ２１、裏側板状部本体１１の内側主面１１ｂの表側にカッター刃３があってフリクションローラー４０が該カッター刃３の表側主面部３ｃに直接接触する（又は接触し得る）状態にあるときの位置をカッター刃接触基端位置Ｐ２２（カッター刃３の厚さによってはＥ方向位置は多少異なり得る）と称する。同様に、フリクションローラー４０の軸部４２，４３が遊嵌軸受穴３２，３３の高さＪの低い先端部３２ｂ，３３ｂ又はその近傍に当接するように最大限にＥ１方向に偏倚した位置をＰ１と称する。更に、フリクションローラー４０が先端位置Ｐ１にある場合であって、裏側板状部１０の本体１１の内側主面１１ｂに直接接触する（又は接触し得る）状態にあるときの位置を開口閉塞先端位置Ｐ１１、裏側板状部本体１１の内側主面１１ｂの表側にカッター刃３があってフリクションローラー４０が該カッター刃３の表側主面部３ｃに直接接触する（又は接触し得る）状態にあるときの位置をカッター刃押圧先端位置Ｐ１２と称する。
【００５１】
まず、カッター刃収容室３５内に収容されたカッター刃３を繰出す場合について、説明する。
【００５２】
カッター刃３がカッターナイフ２のカッターナイフホルダー１のカッター刃収容室３５のＡ２方向の奥の方に収容されていて該収容室３５の内で可動な状態である場合（フリクションローラー４０の外周面４８ａの内側部分４８ｃがカッター刃３を押さえることなくホルダー本体５の裏側板状部本体１１の内側主面部１１ｂに直接接触している状態の場合）には、カッターナイフホルダー１を右手ＵＨで軽く掴んだ状態（右手ＵＨで軽く掴む点では図７の（ａ）〜（ｃ）に示した状態と概ね同様）で、フリクションローラー４０の外周面４８ａの表側部分４８ｂを親指ＵＡでＫ１方向に押さえつつ自由基端位置Ｐ２１から開口閉塞先端位置Ｐ１１までＥ１方向に押して、フリクションローラー４０のローラー本体部４９をカッターナイフホルダー１のカッター刃収容室３５の底面３５ａ（裏側板状部本体１１の内側主面１１ｂ）の上でＣ２方向に転動させて、フリクションローラー４０の軸部４２，４３を遊嵌軸受穴３１，３２の前端３１ｂ，３２ｂに押しつける。この状態Ｓ３（図示せず）では、遊嵌軸受穴３１，３２の高さＪが実際上最小になって、フリクションローラー４０のローラー本体部４９の外周ローラー部４８の奥側部分が弾性的につぶされた状態で裏側板状部本体１１の内側主面１１ｂに押付けられて、カッター刃収容室３５の奥から該カッター刃収容室３５の開口３６に至る経路が塞がれる。このとき、フリクションローラー４０のローラー本体部４９の外周ローラー部４８の外周面４８ａは、長方形穴２５内で該穴２５の前端の後向き側面２５ｄの近傍に位置する。この状態Ｓ３ないしフリクションローラーの開口閉塞先端位置Ｐ１１は、カッター刃３がカッター刃収容室３５から抜け落ちる（滑り出る）のを確実に防ぎ得る抜落ち（滑落）防止状態Ｓ３ないし抜落ち（滑落）防止位置Ｐ１１である（図７の（ｃ）と（ａ）との間の状態で、図７では明示していない）。
【００５３】
この抜落ち（滑落）防止状態Ｓ３において、カッター刃３を繰出すには、カッターナイフホルダー１を右手ＵＨで軽く掴んだ状態で、まず、カッターナイフ２をＡ１方向前方程下方に位置するように（カッター刃収容室３５の開口３６が多少なりとも下に向くように）傾ける。これにより、カッター刃収容室３５内で可動なカッター刃３がカッター刃収容室３５内でＡ１方向に移動して、カッター刃３の刃先部３ｅの先端がフリクションローラー４０のローラー本体部４９の外周ローラー部４８の外周面４８ａと裏側板状部本体１１の内側主面１１ｂとにより形成された楔状凹部に嵌り込む。
【００５４】
この状態でフリクションローラー４０のローラー本体部４９の外周ローラー部４８の外周面４８ａの表側部分４８ｂを親指ＵＡでＫ１方向に軽く押さえつつ該フリクションローラー４０の外周ローラー部４８の外周面４８ａの表側部分４８ｂをＥ２方向に引くと、ローラー本体部４９が裏側板状部本体１１の内側主面１１ｂ上にあるカッター刃３の刃先部３ｅの近傍の先端部において表側主面部３ｃ上でＣ１方向に転動して、ローラー軸部４２，４３が遊嵌軸受穴３１，３２内でＥ２方向端部（後側面）３１ａ，３２ａに達して、カッター刃接触基端位置Ｐ２２を採る。このカッター刃接触基端位置Ｐ２２では、フリクションローラー４０の外周ローラー部４８の外周面４８ａの表側部分４８ｂは、カッター刃３の刃先部３ｅの近傍の先端部においてカッター刃３の実際上全幅部分に摩擦係合可能になる（裏側部分（奥側表面部分）４８ｃはカッター刃３の刃先部３ｅ近傍の先端部の表側主面部３ｃに摩擦係合する）。即ち、長方形穴２５のＥ方向の長さ及び遊嵌軸受穴３１，３２のＥ方向の長さは、（カッター刃３が所定長さ毎に折取り可能なように該カッター刃３の先端部が斜めになっているような場合でも）フリクションローラー４０が遊嵌軸受穴３１，３２及び長方形穴２５によって規定されるＥ１方向端部位置からＥ２方向端部位置に変位されると、カッター刃３の表側主面部３ｃに触れていない状態から表側主面部３ｃの概ね全幅領域に触れ得る状態になるに十分な長さを有する。なお、フリクションローラー４０とカッター刃３との摩擦係合が十分に強い場合には、フリクションローラー４０がＥ２方向端部まで移動された際にカッター刃３の幅方向の一部の領域と接触するに留まる状態でもよい。
【００５５】
フリクションローラー４０がカッター刃接触基端位置Ｐ２２を採った状態で、更に、親指ＵＡでフリクションローラー４０を親指ＵＡでＫ１方向に比較的強く押さえつつ親指ＵＡをＥ１方向に動かしてフリクションローラー４０をＣ１方向に回すと、フリクションローラー４０のＣ１方向回転に伴って、Ｋ１方向押圧力の作用下において該ローラー４０のローラー本体部４９の外周ローラー部４８の外周面４８ａの裏側部分４８ｃに表側主面部３ｃで摩擦係合したカッター刃３が、ローラー４０の外周面４８ａの裏側部分４８ｃによってＥ１方向に押されて、Ｅ１方向に繰出される。この繰出し状態Ｓ１は、図７の（ａ）に示した状態Ｓ１に対応する。カッター刃３の刃先３ｅが所望の程度だけ突出したらこの繰出操作を停止する。
【００５６】
なお、フリクションローラー４０によるカッター刃３の繰出し方向Ｅ１は、カッター刃収容室３５の前方への延在方向Ａ１に対して角度αだけカッター刃３の背部３ｂの側に傾いているので、カッター刃３は、Ｅ１方向への繰出しに伴いＡ１方向に繰出されると共に少しづつＢ２方向へ変位され、カッター刃３の当初の幅方向Ｂの位置にかかわらずＥ１方向への繰出しに伴ってカッター刃３の背縁（背部）３ｂがカッター刃収容室３５の開口３６の背側側縁３６ｂに当接し、更に、カッター刃３の刃先３ｅ近傍部分よりも奥の部分（Ｂ２方向に位置する部分）においてもカッター刃３の背部３ｂがカッター刃収容室３５の対向側面（カッター刃収容凹部３３の側面３３ｂ）に近づく（場合によっては当接するようになる）。これにより、カッター刃３の背部３ｂがカッターホルダー１によって支えられる。すなわち、カッター刃収容室３５の幅ＷＲと比較してカッター刃３の幅ＷＣが相当小さく（ＷＣ＜＜ＷＲ）ても、カッター刃３が有効に機能し得るようにカッター刃３がカッターナイフホルダー１によって位置決め保持され得る。従って、カッターナイフホルダー１は、幅ＷＣの広狭によらず種々の幅ＷＣのカッター刃３に対応可能である。
【００５７】
カッター刃３のこの突出状態を保持するためには、フリクションローラー４０のローラー本体部４９の外周ローラー部４８の外周面４８ａの表側部分４８ｂをＥ１方向に押して、フリクションローラー４０のローラー本体部４９をカッター刃３の表側主面部３ｃ上でＣ２方向に転動させる。この転動に伴いフリクションローラー４０の軸部４２，４３は遊嵌軸受穴３１，３２内でＥ１方向に移動し、該Ｅ１方向移動に伴ない遊嵌軸受穴３１，３２の高さＪが小さくなってローラー本体部４９のゴム弾性を有する外周ローラー部４８が弾性的に押しつぶされつつカッター刃３の表側主面部３ｃに押付けられるようになる。すなわち、継続してフリクションローラー４０をＣ２方向に回転させつつＥ１方向に押すと、フリクションローラー４０がカッター刃３に強く押付けられた状態でピニオン４６，４７がラック歯２８ｃ，２９ｃに噛み合って、カッター刃３をロックする状態Ｓ２になる。このときのフリクションローラー４０の位置が、フリクションローラー４０のカッター刃押圧先端位置Ｐ１２である。この状態Ｓ２では、フリクションローラー４０のゴム弾性のある外周ローラー部４８の弾性復元力の作用下でフリクションローラー４０の軸部４２，４３のピニオン４６，４７が遊嵌軸受穴３１，３２の傾斜面２８ｄ，２９ｄのラック歯２８ｅ，２９ｅに押付けられた状態で該ラック歯２８ｅ，２９ｅに噛合しているので、被切断物をカッター刃３によって引き切るようにカッターナイフ２を操作してもカッター刃３がカッターナイフホルダー１からＥ１方向に抜け落ちるのをのを実際上防ぎ得る。これが、図７の（ｂ）に示したカッター刃３の固定状態Ｓ２である。
【００５８】
但し、この固定状態Ｓ２では、カッター刃３は、該カッター刃３の表側主面３ｃとフリクションローラー４０の外周面４８ａとの摩擦係合によって係止されているだけであるから、カッター刃３の刃先３ｅに強いＡ２方向の力が加えられると、カッター刃３は、摩擦係合力に抗してＡ２方向に押し込まれる。また、フリクションローラー４０のＣ２方向の回転を規制する力は弱いので、カッター刃３の刃先３ｅに加わるＡ２方向の外力がある程度以上強い場合には、フリクションローラー４０もＣ２方向に回転しＥ２方向に変位される。すなわち、例えば、カッターナイフ２のカッター刃３を対象物に対してＡ１方向に突き刺そうとすると、対象物からの反作用によりカッター刃３にＡ２方向の大きな力がかかる。そのような場合には、カッターナイフ２のカッター刃３による突き刺し作用は回避されて、カッター刃３がＡ２方向に引込むことになる。この点で、このカッターナイフ２は、危険を回避し得るものである。
【００５９】
この状態Ｓ２においてカッター刃３の固定状態Ｓ２を解除するためには、フリクションローラー４０のローラー本体部４９の外周ローラ部４８の表面部分４８ａの表側部分４８ｂをＥ２方向に引いて該フリクションローラー４０をＣ１方向に回して、ローラー本体部４９をカッター刃３の表側主面部３ｃ上でＣ１方向に転動させればよい。これにより、カッター刃３をカッター刃収容室３５に収容ないし収納可能な状態になる。
【００６０】
なお、カッター刃３５の挟持が解除されると、カッター刃３がＡ１，Ａ２方向に自由に移動できるようになるので、カッター刃収容室３５の開口３６を下に向けることにより、カッター刃３をカッター刃収容室３５から取り出したり、カッター刃３自体を同一サイズの新しいカッター刃３や厚さＴＣや幅ＷＣの異なる別のカッター刃３に取り換え得る。なお、刃先の使用済み部分を折り取る際には、カッター刃３５を取外してしまっても、所望長だけ突出した状態でホルダー１に固定しておいてもよい。
【００６１】
ここで、このカッターナイフホルダー１及び該ホルダー１を備えたカッターナイフ２では、カッター刃３がフリクションローラー４０とカッターナイフホルダー１の裏側板状部本体１１とによって挟持されて保持されるようになっており、カッター刃３の厚さＴＣが大きく（厚く）なるほどフリクションローラー４０がＥ２方向にずれた位置を採り、カッター刃３の厚さＴＣが小さく（薄く）なるほどフリクションローラー４０がＥ１方向にずれた位置を採り得るようになっている。すなわち、このカッターナイフホルダー１及び該ホルダー１を備えたカッターナイフ２では、フリクションローラー４０とカッターナイフホルダー１の裏側板状部本体１１との間の間隔が遊嵌軸受穴３１，３２の傾斜面２８ｄ，２９ｄによって調整され得るから、カッター刃３の厚さＴＣの大小にかからわず、該カッター刃３が安定に保持され得る。従って、どのような厚さＴＣのカッター刃３であっても、このカッターナイフホルダー１及び該ホルダー１を備えたカッターナイフ２に適用され得る。
【００６２】
また、このカッターナイフホルダー１を備えたカッターナイフ２では、フリクションローラー４０の移動方向Ｅがカッター刃収容室３５の長手方向Ａに対して角度αだけ傾斜しているので、フリクションローラー４０のＣ１方向回転によるカッター刃３のＡ１方向の繰出しの際に、カッター刃３がＥ１方向に変位されることにより、カッター刃３の刃先３ａ及びその近傍部分（先端側部分）がその背部３ｂの方に変位されて、カッター刃３の背部３ｂがカッター刃収容室３５の開口３６の側縁３６ｂに当接して該側縁部３６ｂによって支えられ得るから、カッター刃３の幅ＷＣがカッター刃収容室３５の幅ＷＲと比較して小さくても、また、その差異（ＷＲ−ＷＣ）が変動しても、カッター刃３が有効に機能し得る。従って、このカッターナイフホルダー１を備えたカッターナイフ２に適用され得るカッター刃３の幅ＷＣは、カッター刃収容室３５の幅ＷＲ以下である限りその幅よりも相当小さくてもよい。
【００６３】
従って、このカッターナイフホルダー１を備えたカッターナイフ２には、どのような厚さＴＣ及び幅ＷＣのカッター刃３も適用されて有効なカッター刃３として用いられ得る。
【００６４】
以上においては、カッター刃３のカッター刃収容室３５の開口３６からのＡ１方向の滑落ないし抜け落ちを防止する滑り出しないし抜け落ち防止状態Ｓ２を実現する開口閉塞先端位置Ｐ１１に、操作者が指でフリクションローラー４０を移動させる例について説明したけれども、図８の（ａ）〜（ｃ）に示したように、カッターナイフホルダー１Ａ自体が、フリクションローラー４０Ａを開口閉塞先端位置Ｐ１１に弾性的に偏倚させる弾性偏倚機構５０を備えていてもよい。
【００６５】
変形例のカッターナイフホルダー１Ａを備えたカッターナイフ２Ａを示した図８の（ａ）〜（ｂ）において、図１〜図７に示した要素と同一の要素には同一の符号が付され、概ね対応するけれども異なるところのある要素には、当該要素の符号の後に符号Ａが付されている。
【００６６】
この弾性偏倚機構５０は、Ｕ字状腕部５１とコイルばね５５とを備える。Ｕ字状腕部５１のＥ方向に延びた二つの長手方向腕部分５２，５３でフリクションローラー４０Ａの軸部４２Ａ.４３Ａを回転自在に支持し、該Ｕ字状腕部５１の横方向中央腕部分５４にコイルばね５５の一端部５５ａが係合され、コイルばね５５の他端部５５ｂがカッターナイフホルダー１Ａの表側板状部２０Ａに形成されたピン状係合部６１に係合されている。
【００６７】
このカッターナイフホルダー１Ａを備えたカッターナイフ２Ａでは、コイルばね５５がフリクションローラー４０Ａに対して常にＥ１方向の弾性偏倚力を及ぼすので、操作者がフリクションローラー４０Ａから指を離すと、コイルばね５５がフリクションローラー４０ＡをＥ１方向に偏倚した偏倚位置（開口閉塞先端位置）Ｐ１１に向かって偏倚させ、これにより、フリクションローラー４０Ａのローラー本体部４９がカッター刃３のＡ１方向の滑落ないし滑り出し（抜け落ち）を防ぎ得る。なお、図９では、図の簡明化のためにラック歯やピニオン等は図示していない。
【００６８】
以上においては、フリクションローラー４０の中心軸線Ｃがカッター刃収容室３５の長手方向Ａに対して直交する方向Ｂに対して角度αだけ傾いている例について説明したけれども、図９に示したように、フリクションローラー４０Ｂのローラー本体部４９Ｂが円柱の形態の代わりに円錐台Ｑの形態であれば、カッターナイフホルダー１Ｂの長方形穴２５Ｂがカッター刃収容室３５と同様にＡ方向に延びていて、フリクションローラー４０Ｂの中心軸線Ｃがカッター刃収容室３５の長手方向Ａに対して直交する方向Ｂと一致していてもよい。
【００６９】
変形例のカッターナイフホルダー１Ｂを備えたカッターナイフ２Ｂを示した図９において、図１〜図７に示した要素と同一の要素には同一の符号が付され、対応するけれども異なるところのある要素には、当該要素の符号の後に符号Ｂが付されている。
【００７０】
カッターナイフ２Ｂでは、フリクションローラー４０Ｂのローラー本体部４９Ｂがカッター刃３の背部３ｂの側ほど小径（刃部３ａの側ほど大径）の円錐台Ｑの形態であるので、フリクションローラー４０Ｂを中心軸線ＣのまわりでＣ１方向に回転させると、より強く摩擦係合される刃部３ａの側のＡ１方向の送りの方が背部３ｂのＡ１方向の送りよりも強くなるから、カッター刃３が背部３ｂの方にＢ１方向に多少偏倚されつつＡ１方向に繰り出される。従って、この円錐台Ｑの形態のフリクションローラー４０Ｂが中心軸線Ｃの角度αだけ傾いたフリクションローラー４０と同様に機能し得る。それゆえ、フリクションローラー４０Ｂを備えたカッターナイフホルダー１Ｂを有するカッターナイフ２Ｂは、フリクションローラー４０を備えたカッターナイフホルダー１を有するカッターナイフ２と同様に機能し得る。
【符号の説明】
【００７１】
１，１Ａ，１Ｂ  カッターナイフホルダー
２，２Ａ，２Ｂ  カッターナイフ
３  カッター刃
３ａ  刃部
３ｂ  背部
３ｃ  表側主面部
３ｄ  背面側主面部
３ｅ  刃先部
３ｆ  基端部
５  ホルダー本体
１０，１０Ａ  裏側板状部
１１  裏側板状部本体
１１ａ  裏側板状部本体の裏側主面
１１ｂ  裏側板状部本体の内側主面
１１ｃ，１１ｄ  裏側板状部本体の両側面
１１ｅ，１１ｆ  裏側板状部本体の端面
１１ｈ  対面する部分
１２  突出壁部
１２，１３  突出壁部
１２ａ，１３ａ  突出壁部の中央部
１２ｂ，１３ｂ  突出壁部の内側面
１４，１５  遊嵌軸受部形成用凹部
１４ａ，１５ａ  凹部の底面
１４ｂ，１５ｂ  凹部の後端側面
１４ｃ，１５ｃ  凹部の湾曲面部
１４ｄ，１５ｄ  凹部の前端側面
２０，２０Ａ  表側板状部
２１  表側板状部本体
２１ａ  表側板状部本体の表側主面
２１ｂ  表側板状部本体の内側主面
２１ｃ，２１ｄ  表側板状部本体の両側面
２１ｅ，２１ｆ  表側板状部本体の端面
２２，２３  突出壁部
２２ａ，２３ａ  突出壁部の内側面
２２ｂ，２３ｂ  突出壁部の後端部
２４  突出壁部
２４ａ  突出壁部の前側面
２５，２５Ｂ  開口（長方形穴）
２５ａ，２５ｂ  側面
２５ｃ  側面（前向き側面）
２５ｄ  側面（後前向き側面）
２６，２７  嵌合せ凹部（長方形凹部）
２８，２９  遊嵌軸受部形成用凹部
２８ａ，２９ａ  遊嵌軸受部形成用凹部の前側端部
２８ｂ，２９ｂ  遊嵌軸受部形成用凹部の後側端部
２８ｃ，２９ｃ  遊嵌軸受部形成用凹部の底面
２８ｄ，２９ｄ  遊嵌軸受部形成用凹部の傾斜面
２８ｅ，２９ｅ  ラック歯
３１，３２  遊嵌軸受穴
３１ａ，３２ａ  遊嵌軸受穴後端
３１ｂ，３２ｂ  遊嵌軸受穴の前端
３３  カッター刃収容凹部
３３ａ  カッター刃収容凹部の底面
３３ｂ，３３ｃ  カッター刃収容凹部の両側面
３３ｄ  カッター刃収容凹部の後側面
３５  カッター刃収容室
３５ａ  カッター刃収容室の底面（奥側主面）
３６  カッター刃出入開口
３６ｂ  開口の側縁部
３７  フリクションローラー装着構造部
４０，４０Ａ，４０Ｂ  フリクションローラー
４１  ローラー芯体部
４２，４３  フリクションローラーの軸部
４２Ａ，４３Ａ  フリクションローラーの軸部
４５  ローラー基体部
４６，４７  ピニオン
４８  外周ローラー部
４８ａ  外周面（外表面）
４８ｂ  表側部分
４８ｃ  内側部分（奥側表面部分）
４９，４９Ｂ  ローラー本体部
５０  弾性偏倚機構
５１  Ｕ字状腕部
５２，５３  長手方向腕部分
５４  横方向中央腕部分
５５  コイルばね
５５ａ，５５ｂ  コイルばねの端部
６１  ピン状係合部
Ａ  長手方向
Ａ１  前方
Ａ２  後方
Ｂ  幅方向
Ｂ１  腹側
Ｂ２  背側
Ｃ  中心軸線
Ｃ１  回転方向（繰出）
Ｃ２  回転方向（引込）
Ｄ  小径円弧状面
Ｅ  長方形穴の長手方向
Ｅ１  前方
Ｅ２  後方
Ｆ  長方形穴の幅方向（フリクションローラーの軸線の延在方向）
Ｇ  長方形
Ｈ  長円形
Ｊ  高さ
Ｋ  方向（高さＪの延在方向（Ｅ，Ｆ方向に直交する方向））
Ｋ１，Ｋ２  方向
ＬＣ  カッター刃の長さ
ＬＲ  カッター刃収容凹部（室）の長さ
Ｍ  領域（カッター刃収容室の領域）
Ｐ１  フリクションローラーの先端位置
Ｐ１１  開口閉塞先端位置
Ｐ１２  カッター刃押圧先端位置
Ｐ２  フリクションローラーの基端位置
Ｐ２１  自由基端位置
Ｐ２２  カッター刃接触基端位置
Ｑ  円錐台
Ｓ１  繰出し状態
Ｓ２  固定状態（被挟持状態）
Ｓ３  抜落ち（滑落）防止状態
ＴＣ  カッター刃の厚さ
ＴＲ  カッター刃収容凹部（室）の厚さ
ＵＡ  親指
ＵＨ  右手
ＷＣ  カッター刃の幅
ＷＲ  カッター刃収容凹部（室）の幅
α  角度
【図１】
2016083065.tif 000003
【図２】
2016083065.tif 000004
【図３】
2016083065.tif 000005
【図４】
2016083065.tif 000006
【図７】
2016083065.tif 000007
【図８】
2016083065.tif 000008
【図９】
2016083065.tif 000009
【図５】
2016083065.tif 000010
【図６】
2016083065.tif 000011